(57)【要約】【課題】  本発明は、簡単な構成により、法規的な配光特性の外側においても被視認性に優れ、斬新なデザインを可能にした発光素子から成る車両用灯具を提供することを目的とする。【解決手段】  発光素子から成る光源１１と、上記光源の前方に配置されたレンズ１２と、を含んでいる、車両用灯具１０であって、上記レンズ１２が、上記光源の各発光素子に対応して、各発光素子の光軸と同軸に且つ当該発光素子から半値角以下の範囲内に配置された第一のレンズカット部１４と、上記半値角を超えた領域に配置された第二のレンズカット部１５と、を備えており、上記第一のレンズカット部が、対応する発光素子からの光を集束させると共に、上記第二のレンズカット部が、対応する発光素子からの光を拡散させるように、車両用灯具１０を構成する。【選択図】        図１
2008177060.tif 000002
【特許請求の範囲】
【請求項１】
少なくとも一つの発光素子から成る光源と、上記光源の前方に配置されたレンズと、を含んでいる、車両用灯具であって、
上記レンズが、上記光源の各発光素子に対応して、各発光素子の光軸と同軸に且つ当該発光素子からの発光量が半値角以下の範囲内に配置された第一のレンズカット部と、上記半値角を超えた領域に配置された第二のレンズカット部と、を備えており、
上記第一のレンズカット部が、対応する半値角の範囲内の発光素子からの光を集束させると共に、
上記第二のレンズカット部が、対応する半値角の範囲内の発光素子からの光を拡散させる
ことを特徴とする、車両用灯具。
【請求項２】
上記第一のレンズカット部が、対応する発光素子からの光を集束させて、所定の配光パターンを形成することを特徴とする、請求項１に記載の車両用灯具。
【請求項３】
上記第二のレンズカット部が、レンズの入射面と出射面で互いに位相がずれた多数の微小形状を有していることを特徴とする、請求項１または２に記載の車両用灯具。
【請求項４】
上記光源とレンズとの光路の間に、リフレクタが配置されており、
上記光源の各発光素子から出射した光が、それぞれ上記リフレクタで反射して、レンズに向かって進むことを特徴とする、請求項１から３の何れかに記載の車両用灯具。
【発明の詳細な説明】
【技術分野】
【０００１】
本発明は、発光素子を光源とする車両用灯具に関する。
【背景技術】
【０００２】
近年のＬＥＤの発光効率の向上に伴って、光源としてＬＥＤを使用した車両用灯具が、種々提案されている。
例えば図８に示すように、車両用灯具１は、ＬＥＤ２と、このＬＥＤ２の前方に配置されたインナーレンズ３と、から構成されている。
【０００３】
上記ＬＥＤ２は、例えば基板２ａ上に実装されており、その光軸Ｏが基板２ａの表面に対して垂直に延びるように配置されている。
上記ＬＥＤ２は、図示しない駆動回路により駆動制御されて発光し、見かけ上点光源として作用するようになっている。
【０００４】
上記レンズ３は、ＬＥＤ２からの光に作用して、例えば法規的な配光規格を満たすような配光パターンを形成するように構成されたレンズカット３ａを備えている。
【０００５】
このような構成の車両用灯具１によれば、上記ＬＥＤ２が駆動回路により駆動制御されて、発光する。ＬＥＤ２から出射した光が、光軸に沿って前方に進み、上記レンズ３を介して、光照射方向前方に向かって照射される。
その際、上記レンズ３のレンズカット３ａの作用によって、ＬＥＤ２からの光は、所定の配光特性を付与されて、前方に向かって照射され、所定の配光パターンを形成するようになっている。
【０００６】
一方、図９に示すような車両用灯具も知られている。
図９において、車両用灯具４は、横向き（図示の場合、上向き）に配置されたＬＥＤ２と、このＬＥＤ２の上方に配置されたリフレクタ５と、から構成されている。
この場合、ＬＥＤ２は、その中心軸が、照射すべき方向に延びる光軸Ｏに対して上向きに垂直に延びるように、配置されている。
【０００７】
上記リフレクタ５は、その内面が反射面として構成されており、ＬＥＤ２からの光を前方（図面の場合、右方）に向かって反射するように、前方に向かって凹状に形成されている。
具体的には、上記リフレクタ５は、例えば光照射方向に延びる光軸Ｏを中心とする回転放物面等の放物面系反射面として構成されており、その焦点位置がＬＥＤ２の発光中心付近に位置するように配置されている。
【０００８】
このような構成の車両用灯具４によれば、上記ＬＥＤ２が駆動回路により駆動制御されて、発光する。このＬＥＤ２から出射した光が、上方に向かって進み、上記リフレクタ５により反射されて、ほぼ平行光となって、光照射方向前方に向かって照射される。
【０００９】
また、図１０に示すような車両用灯具も知られている。
図１０において、車両用灯具６は、ＬＥＤ２のみにより構成されている。
上記ＬＥＤ２は、その光軸が基板２ａの表面に対して垂直に延びるように配置されている。
尚、この場合、上記ＬＥＤ２から側方に出射した光が眩惑光とならないように、フード７により遮断されるようになっている。
【００１０】
このような構成の車両用灯具６によれば、上記ＬＥＤ２が駆動回路により駆動制御されて、発光する。このＬＥＤ２から出射した光が、そのまま光照射方向前方に向かって照射される。
この場合、ＬＥＤ２自体の指向特性のみによって、所定の法規的な配光規格を制御するようになっている。
【発明の開示】
【発明が解決しようとする課題】
【００１１】
ところで、このような構成の車両用灯具１，４，６においては、種々の不具合がある。
即ち、車両用灯具１，４においては、ＬＥＤ２からの出射光により法規的な配光（広がり）を満足させるために、レンズ３のレンズカット３ａの光学的作用を利用して、あるいはリフレクタ５の反射面形状に基づいて、ＬＥＤ２からの出射光を制御するようになっている。
【００１２】
このため、法規的な配光の外側から車両用灯具１のレンズ３を観察した場合、ＬＥＤ２からの出射光の出射量が少ない。これにより、車両用灯具１そして自動車の例えば側方などからの視認性があまり良くない。
【００１３】
また、車両用灯具６においては、ＬＥＤ２の配光特性をそのまま車両用灯具の配光パターンとしていることから、法規的な配光を満足させるような配光特性を備えたＬＥＤ２を選定することが困難であり、所定の配光パターン内における輝度を確保することも困難である。
【００１４】
さらに、車両用灯具１において、レンズ３は、法規的な配光を満足させるためのレンズカット３ａを備えていることから、車両用灯具のデザインの観点からは見栄えがあまり良くなく、平凡で陳腐なデザインになってしまう。
【００１５】
また、このような問題は、発光素子としてＬＥＤ２を使用した場合だけでなく、他の種類の発光素子を使用している場合についても、同様に発生する。
【００１６】
本発明は、以上の点から、簡単な構成により、法規的な配光特性の外側においても被視認性に優れ、斬新なデザインを可能にした発光素子から成る車両用灯具を提供することを目的としている。
【課題を解決するための手段】
【００１７】
上記目的は、本発明によれば、少なくとも一つの発光素子から成る光源と、上記光源の前方に配置されたレンズと、を含んでいる、車両用灯具であって、上記レンズが、上記光源の各発光素子に対応して、各発光素子の光軸と同軸に且つ当該発光素子から半値角以下の範囲内に配置された第一のレンズカット部と、上記半値角を超えた領域に配置された第二のレンズカット部と、を備えており、上記第一のレンズカット部が、対応する発光素子からの光を集束させると共に、上記第二のレンズカット部が、対応する発光素子からの光を拡散させることを特徴とする、車両用灯具により、達成される。
【００１８】
本発明による車両用灯具は、好ましくは、上記第一のレンズカット部が、対応する発光素子からの光を集束させて、所定の配光パターンを形成する。
【００１９】
本発明による車両用灯具は、好ましくは、上記第二のレンズカット部が、レンズの入射面と出射面で互いに位相がずれた多数の微小形状を有している。
【００２０】
本発明による車両用灯具は、好ましくは、上記光源とレンズとの間に、リフレクタが配置されており、上記光源の各発光素子から出射した光が、それぞれ上記リフレクタで反射して、レンズに向かって進む。
【発明の効果】
【００２１】
上記構成によれば、上記光源の各発光素子から出射した光のうち、半値角以下の出射角で出射する光は、上記レンズのそれぞれ対応する第一のレンズカット部に入射し、この第一のレンズカット部により屈折して、光照射方向前方に向かって照射される。
【００２２】
その際、第一のレンズカット部の光学的作用に基づいて、この光は、集束することになる。この第一のレンズカット部によって所定の配光パターンを形成し、例えば法規的な配光規格を満たすような配光パターンを形成することになる。
従って、第一のレンズカット部によって自動車に搭載された当該車両用灯具が、所定の機能を果たすことになる。
【００２３】
一方、各発光素子から半値角を超えた出射角で出射する光は、上記レンズの第二のレンズカット部に入射し、この第二のレンズカット部により例えば乱屈折する。このため、第二のレンズカット部によって光軸に対して広い角度範囲に広がる配光パターンが形成されることになる。
【００２４】
これにより、前述した第一のレンズカット部による配光パターンの外側にも、第二のレンズカット部により光が照射される。この第二のレンズカット部により当該車両用灯具を外部から観察した場合に、広い角度範囲から当該車両用灯具を視認することができる。
【００２５】
従って、第二のレンズカット部によって点灯時に、当該車両用灯具そして自動車自体の被視認性が向上し、安全性がより一層高められる。また、第二のレンズカット部による拡散光によって、独創性のある新規なデザインが可能となり、斬新な見栄えが実現され得る。このため、第二のレンズカット部によれば点灯時のフィーリングが高められることになる。
【００２６】
上記第二のレンズカット部が、レンズの入射面と出射面で互いに位相がずれた多数の微小形状を有している場合には、各発光素子から第二のレンズカット部に入射した光が、これらの微小形状により乱屈折し、拡散されることになる。
さらに、外部から観察者が移動しながら第二のレンズカット部を観察したとき、観察方向の変化に対応して、第二のレンズカット部からの光が動いているように観察され得る。これにより、より一層斬新な見栄えが得られることになる。
【００２７】
上記光源とレンズとの間に、リフレクタが配置されており、上記光源の各発光素子から出射した光が、それぞれ上記リフレクタで反射して、レンズに向かって進む場合には、各発光素子の光軸が上記リフレクタにより折曲げられることになる。この上記リフレクタの光学作用により、各発光素子からの光が集束・拡散され得ることと相まって、車両用灯具のデザインの自由度が大きくなる。
【００２８】
このようにして、光源の各発光素子から出射する光を、半値角以下の角度で出射する光と、半値角を超える角度で出射する光とに分ける。そして半値角以下の比較的強い光を集束させて、所定の配光パターンを形成する。また半値角を超える比較的弱い光を拡散させて、広い角度範囲に亘って照射する。
従って、所定の配光パターンにより、法規的な配光規格が満足され得る。また、所定の配光パターンの外側にも光を拡散して照射することによって、車両用灯具そして自動車の被視認性が向上し、さらに斬新な見栄えの外観を実現することができる。
【発明を実施するための最良の形態】
【００２９】
以下、この発明の好適な実施形態を図１から図７を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３０】
［実施例１］
図１は、本発明を適用した車両用灯具の第一の実施形態の構成を示している。  図１において、車両用灯具１０は、少なくとも一つのＬＥＤから成る光源１１と、この光源１１の前方に配置されたレンズ１２と、ハウジング１３と、から構成されている。
【００３１】
上記光源１１は、少なくとも一つ（図示の場合、一つ）のＬＥＤ１１ａから構成されている。
ここで、各ＬＥＤ１１ａは、基板１１ｂ上に、その中心軸が基板１１ｂの表面に対してほぼ垂直になるように、実装されている。
各ＬＥＤ１１ａは、上記基板上に構成され、あるいは外部に接続された駆動回路により駆動制御され、発光するようになっている。
【００３２】
上記レンズ１２は、透光性材料、例えば樹脂材料から構成されており、上記光源１１の各ＬＥＤ１１ａの中心軸（光軸）に対して垂直に配置されている。
さらに、上記レンズ１２は、図２に示すように、各ＬＥＤ１１ａの中心軸（光軸）付近に位置する第一のレンズカット部１４と、この第一のレンズカット部１４の上側及び下側に設けられた第二のレンズカット部１５と、を備えている。
【００３３】
上記第一のレンズカット部１４は、図１に示すように、対応するＬＥＤ１１ａの光軸に対して、このＬＥＤ１１ａの発光特性の半値角θの範囲内に設けられている。
この第一のレンズカット部１４は、対応するＬＥＤ１１ａからの比較的強い光を集束させて、光照射方向前方（図面にて右方）に向かって照射し、所定の配光パターン、例えば法規的な配光規格を満足するような配光パターンを形成するようになっている。
【００３４】
これに対して、上記第二のレンズカット部１５は、図１に示すように、対応するＬＥＤ１１ａの光軸に対して、このＬＥＤ１１ａの発光特性の半値角θを超える領域内に設けられている。
この第二のレンズカット部１５は、対応するＬＥＤ１１ａからの比較的弱い光を拡散させて、光照射方向前方に向かって照射し、広い角度範囲の配光パターンを形成するようになっている。
【００３５】
この第二のレンズカット部１５は、具体的には、図３に示すように、表面及び裏面にそれぞれ形成された多数の横方向に並んだ凸状（かまぼこ形状）の微小形状１５ａから構成されている。
ここで、各微小形状１５ａは、図４に示すように、それぞれピッチｐの間隔で規則的に並んでいる。
上記第二のレンズカット部１５の表面の微小形状１５ａは、裏面の微小形状１５ａに対して、図４に示すように、例えば上記ピッチｐの半分だけ、位相がずれて、逆位相となるように配置されている。
【００３６】
また、前述した第一のレンズカット部１４は、例えば図５に示すように、対応するＬＥＤ１１ａの光軸に関して、上側と下側に分割された集光レンズ部１４ａ，１４ｂとして構成されている。
ここで、これらの上側及び下側の集光レンズ部１４ａ，１４ｂは、それぞれ横長に形成されており、対応するＬＥＤ１１ａからの光を光軸に沿って中心付近に横長に集束する凸レンズとして形成されている。
【００３７】
上記ハウジング１３は、上述した光源１１及びレンズ１２を覆い、レンズ１２から前方に向かって照射される光を透過させるように、前方が開放した箱状に構成されており、この開放した前端が透光性カバー１３ａにより覆われている。
【００３８】
本発明実施形態による車両用灯具１０は、以上のように構成されており、光源１１の各ＬＥＤ１１ａが図示しない駆動回路により駆動制御され発光する。
上記光源１１の各ＬＥＤ１１ａから出射した光は、それぞれ上記レンズ１２を透過して、光照射方向前方に向かって照射される。
【００３９】
その際、ＬＥＤ１１ａから出射した光の内、発光特性の半値角θ以下の出射角の光Ｌ１は、上記レンズ１２の第一のレンズカット部１４に入射し、この第一のレンズカット部１４の光学作用に基づいて、光軸に沿って中心付近に向かって集束される。
これにより、上記光Ｌ１は、前方に向かって所定の横長の配光特性で照射される。従って、上記光Ｌ１により所定の配光パターン（主配光）が形成されることにより、例えば法規的な配光規格が満たされるようになっている。
【００４０】
一方、ＬＥＤ１１ａから半値角θを超える出射角で出射した光Ｌ２は、上記レンズ１２の第二のレンズカット部１５に入射し、この第二のレンズカット部１５の光学作用に基づいて、図６に示すように、乱屈折することにより、左右方向に拡散する。
これにより、上記光Ｌ２は、前方に向かって左右に拡散する広い角度範囲の配光特性で照射される。従って、上記光Ｌ２により広い配光パターン（補助配光）が形成される。
【００４１】
従って、上記光Ｌ１による所定の配光パターン（主配光）の外側であっても、上記光Ｌ２による補助配光が観察され得ることになる。このため、前記主配光の周囲の被視認性が向上するようになっている。
【００４２】
この場合、前述したように、レンズ１２の第二のレンズカット部１５に関して、表面の微小形状１５ａと裏面の微小形状１５ａの位相が互いにずれていることにより、通過する光Ｌ２がより確実に拡散され得る。また、出射方向によって、輝度が異なり、当該車両用灯具１０を観察者が横方向に移動しながら観察すると、見る角度によって、輝度変化により光が動いているように観察され得る。
これにより、当該車両用灯具１０の被視認性がより一層向上することになる。
【００４３】
このようにして、本発明実施形態による車両用灯具１０によれば、光源１１の各ＬＥＤ１１ａに対応して、集光特性を備えた第一のレンズカット部１４だけでなく、拡散特性を備えた第二のレンズカット部１５を設けた。このため、第一のレンズカット部１４による配光パターンの外側においても、第二のレンズカット部１５による配光パターンが形成される。これにより、外部から視認され得ることになり、当該車両用灯具１０の被視認性が向上する。また、第二のレンズカット部１５の形状等により、独創性のある新規なデザインが可能になり、斬新な見栄えの外観を呈することが可能になる。
【００４４】
［実施例２］
図７は、本発明による車両用灯具の第二の実施形態の構成を示している。
図７において、車両用灯具２０は、少なくとも一つのＬＥＤから成る光源２１と、この光源２１を上方から包囲するように配置されたリフレクタ２２と、このリフレクタ２２の前方に配置されたレンズ２３と、ハウジング２４と、から構成されている。
【００４５】
上記光源２１は、図１に示した車両用灯具１０における光源１１と同様に、少なくとも一つ（図示の場合、一つ）のＬＥＤ２１ａから構成されており、各ＬＥＤ２１ａは、基板２１ｂ上に、その中心軸が基板２１ｂの表面に対してほぼ垂直になるように、実装されている。
ここで、上記光源２１は、その基板２１ｂが水平に、即ち個々のＬＥＤ２１ａの光軸が上方に向かって延びるように配置されている点でのみ、図１の車両用灯具１０における光源１１とは異なる構成になっている。
【００４６】
上記リフレクタ２２は、その内面が反射面として構成されており、ＬＥＤ１１ａからの光を前方（図面の場合、右方）に向かって反射して光路を折曲げるように、前方に向かって凹状に形成されている。
具体的には、上記リフレクタ２２の内面は、例えば光照射方向前方に延びる光軸Ｏを中心とする回転放物面等の放物面系反射面として構成されており、その焦点位置がＬＥＤ１１ａの発光中心付近に位置するように配置されている。
これにより、各ＬＥＤ１１ａから出射した光は、このリフレクタ２２の内面で反射して、ほぼ平行光となって、光照射方向前方に向かって進むことになる。
【００４７】
上記レンズ２３は、透光性材料、例えば樹脂材料から構成されており、上記光源２１の各ＬＥＤ２１ａの中心軸（光軸）に対して垂直に配置されている。
さらに、上記レンズ２３は、図１の車両用灯具１０におけるレンズ１２と同様に、各ＬＥＤ２１ａの中心軸（光軸）付近に位置する第一のレンズカット部２５と、この第一のレンズカット部２５の上側及び下側に設けられた第二のレンズカット部２６と、を備えている。
【００４８】
上記第一のレンズカット部２５は、図１の車両用灯具１０におけるレンズ１２の第一のレンズカット部１４と同様に構成されており、対応するＬＥＤ２１ａの光軸に対して、このＬＥＤ２１ａの発光特性の半値角θのリフレクタ２２で反射した範囲内に設けられている。
【００４９】
この第一のレンズカット部２５は、対応するＬＥＤ２１ａからの比較的強い光を集束させて、光照射方向前方（図面にて右方）に向かって照射する。第一レンズカット部２５により所定の配光パターン、例えば法規的な配光規格を満足するような配光パターンを形成するようになっている。
【００５０】
一方、上記第二のレンズカット部２６は、図１の車両用灯具１０におけるレンズ１２の第二のレンズカット部１５と同様に構成されている。すなわち、対応するＬＥＤ１１ａの光軸に対して、このＬＥＤ２１ａの発光特性の半値角θのリフレクタ２２で反射した範囲の外側に設けられている。
この第二のレンズカット部２６は、対応するＬＥＤ２１ａからの比較的弱い光を拡散させて、光照射方向前方に向かって照射する。これにより、車両用灯具は、広い角度範囲の配光パターンを形成するようになっている。
【００５１】
このような構成の車両用灯具２０によれば、図１に示した車両用灯具１０と同様に作用する。すなわち、上記光源２１の各ＬＥＤ２１ａから出射した光は、それぞれ上記リフレクタ２２で反射してほぼ平行光となって上記レンズ２３を透過し、光照射方向前方に向かって照射される。
【００５２】
その際、ＬＥＤ２１ａから出射した光のうち、発光特性の半値角θ以下の出射角の光Ｌ１は、上記リフレクタ２２で反射した後、上記レンズ２３の第一のレンズカット部２５に入射する。この光Ｌ１は、第一のレンズカット部２５の光学作用に基づいて、光軸に沿って中心付近に向かって集束される。
これにより、上記光Ｌ１は、前方に向かって所定の配光特性で照射される。従って、上記光Ｌ１により所定の配光パターン（主配光）が形成されることにより、例えば法規的な配光規格が満たされるようになっている。
【００５３】
一方、ＬＥＤ２１ａから半値角θを超える出射角で出射した光Ｌ２は、上記リフレクタ２２で反射した後、上記レンズ２３の第二のレンズカット部２６に入射する。光Ｌ２は、この第二のレンズカット部２６の光学作用に基づいて乱屈折することにより、左右方向に拡散する。
これにより、上記光Ｌ２は、前方に向かって左右に拡散する広い角度範囲の配光特性で照射される。従って、上記光Ｌ２により広い配光パターン（補助配光）が形成される。
【００５４】
従って、上記光Ｌ１による所定の配光パターン（主配光）の外側であっても、上記光Ｌ２による補助配光が観察され得ることになり、前記主配光の周囲の被視認性が向上するようになっている。
【産業上の利用可能性】
【００５５】
上述した実施形態においては、光源１１，２１を構成する発光素子として一つのＬＥＤが図示されているが、これに限らず、二つ以上のＬＥＤが備えられていてもよい。この場合、各ＬＥＤ１１ａ，２１ａに対して、上記レンズ１２，２３は、それぞれ第一のレンズカット部１４，２５及び第二のレンズカット部１５，２６を備えることになる。
【００５６】
また、上述した実施形態においては、光源１１，２１を構成する発光素子としてＬＥＤが使用されているが、これに限らず、例えばレーザー素子等の他の種類の発光素子を使用した光源を備えていてもよい。
【００５７】
さらに、上述した実施形態においては、車両用灯具１０は、単に車両用灯具として説明したが、これに限らず、車両用灯具としては、例えばヘッドランプ等の車両前照灯やフォグランプ等の補助前照灯等を含む種々の車両用灯具や、その他一般の照明灯のための灯具にも本発明を適用し得ることは明らかである。
【００５８】
このようにして、本発明によれば、簡単な構成により、法規的な配光特性の外側においても被視認性に優れ、斬新なデザインを可能にした発光素子から成る車両用灯具が提供されることになる。
【図面の簡単な説明】
【００５９】
【図１】本発明による車両用灯具の第一の実施形態の構成を示す概略断面図である。
【図２】図１の車両用灯具におけるレンズの（Ａ）裏側及び（Ｂ）表側から見た概略斜視図である。
【図３】図１の車両用灯具におけるレンズの構成を示す（Ａ）正面図及び（Ｂ）横断面図である。
【図４】図３のレンズにおける表側と裏側の微小形状の位相ずれを示す説明図である。
【図５】図３のレンズにおける第一のレンズカット部を示す拡大斜視図である。
【図６】図１の車両用灯具の点灯時における第二のレンズカット部の光の乱屈折を示す部分拡大断面図である。
【図７】本発明による車両用灯具の第二の実施形態の構成を示す概略断面図である。
【図８】従来のＬＥＤを使用した車両用灯具の一例の構成を示す概略断面図である。
【図９】従来のＬＥＤを使用した車両用灯具の他の例の構成を示す概略断面図である。
【図１０】従来のＬＥＤを使用した車両用灯具のさらに他の例の構成を示す概略断面図である。
【符号の説明】
【００６０】
１０    車両用灯具
１１，２１    光源
１１ａ，２１ａ  ＬＥＤ（発光素子）
１２，２３    レンズ
１３，２４    ハウジング
１４，２５    第一のレンズカット部（集光特性）
１５，２６    第二のレンズカット部（拡散特性）
【図１】
2008177060.tif 000003
【図２】
2008177060.tif 000004
【図３】
2008177060.tif 000005
【図４】
2008177060.tif 000006
【図５】
2008177060.tif 000007
【図６】
2008177060.tif 000008
【図７】
2008177060.tif 000009
【図８】
2008177060.tif 000010
【図９】
2008177060.tif 000011
【図１０】
2008177060.tif 000012